(57)【要約】      （修正有） 【課題】照明具を有する高欄の設置を簡単かつ容易にし、設置期間の短縮やコスト低減を可能とする高欄の提供。【解決手段】予め定めた長さを有する高欄のユニットを複数連接することによって所望の長さの照明を有する高欄を設置するものであり、少なくとも一の高欄のユニットの内部には照明のための電気配線のケーブル類を有すると共に他の高欄のユニットとの連設部分において該ケーブルの端部に電気的接続可能な連結部材を有し、一の高欄のユニットと他の高欄のユニットとを連設するに際してそれぞれの高欄ユニット内に配設した該ケーブル類を電気的接続可能な連結部材によって結線することによって配線する。【選択図】図１
0003124041.tif 000002
【実用新案登録請求の範囲】
【請求項１】
橋や道路に設置する照明を有する高欄１であって、
該高欄は、予め定めた長さを有する高欄部材を連設することによって構成するものであり、
少なくとも一の高欄部材の内部には電気配線のためのケーブル類２を有すると共に他の高欄部材との連設部分において該ケーブルの端部に電気的接続可能な連結部材３を有し、
一の高欄部材と他の高欄部材とを連設するに際してそれぞれの高欄部材内に配設した該ケーブル類２を電気的接続可能な連結部材３によって結線することによって配線することを特徴とする高欄。
【請求項２】
橋や道路に設置する照明を有する高欄１であって、
該高欄は、予め定めた長さを有する高欄のユニットを複数連接することによって所望の長さの高欄を設置するものであり、
少なくとも一の高欄のユニットの内部には電気配線のためのケーブル類２を有すると共に他の高欄のユニットとの連設部分において該ケーブル２の端部に電気的接続可能な連結部材３を有し、
一の高欄のユニットと他の高欄のユニットとを連設するに際してそれぞれの高欄ユニット内に配設した該ケーブル類２を電気的接続可能な連結部材３によって結線することによって配線することを特徴とする高欄。
【請求項３】
高欄部材の任意箇所に照明具を有することを特徴とする請求項１記載の高欄。
【請求項４】
高欄ユニットの任意箇所に照明具を有することを特徴とする請求項２記載の高欄。
【請求項５】
照明具がＬＥＤか、蛍光灯か、或いは電球のうちのいずれか一以上よりなることを特徴とする請求項１乃至４のいずれかに記載の高欄。
【請求項６】
照明具の照射方向に照射用の開口部を有し、該開後部が覆い板で覆われていることを特徴とする請求項１乃至５のいずれかに記載の高欄。
【請求項７】
電気配線のためのケーブル類２を予め横桟１８内に配設することを特徴とする請求項１乃至６のいずれかに記載の高欄。
【請求項８】
横桟が笠木１０であることを特徴とする請求項７に記載の高欄。
【請求項９】
横桟が手すり１９であることを特徴とする請求項７に記載の高欄。
【請求項１０】
電気的接続可能な連結部材３がコネクター又はプラグであることを特徴とする請求項１乃至９のいずれかに記載の高欄。
【請求項１１】
電気的接続可能な連結部材３が防水コネクター又は防水プラグであることを特徴とする請求項１０記載の高欄。
【考案の詳細な説明】
【技術分野】
【０００１】
本考案は、橋の歩道側又は歩道橋高欄等に安全のため設置されている照明具を有する高欄に関する。
【背景技術】
【０００２】
従来より、高欄に関しては夜間の歩行時等に安全を確保するため照明具を配設し、足元を明るく照らすことは多用されているものである。
この場合、高欄に別途照明具を配設し、照明具を取り付け器具によって高欄に配設すると共に別途電気工事によってその配線を確保するものであった。
即ち、高欄用照明の結線は電気工事において配線コードを結線し、例えば絶縁用テープ等で漏電を防ぐ等をして設置するものであり、高欄や照明器具自体の設置の設置工事のほかに電気工事として各専門的工事を行っているものである。
【０００３】
更に、この他高欄用照明の配線結束においては別途配管設置して例えば支柱から立ち上げて笠木の外や或いは設置後笠木内に配線し、多数の各照明器具を設置した後更にそれぞれに配線すると共に絶縁テープ等で漏電防止を図るのが通常であった。
この構造においては笠木の外側や或いは設置後笠木内等に配線するものであり、配管工事や配線工事等が必要となるものであり、又必要に応じて埋設工事等の必要もでるものである。
【０００４】
特に前記と同様配線においてはもとより電気工事が必要である。
従って、照明具を有する高欄の設置に際しては単なる設置工事だけではなく、かかる配線に関しては電気工事、或いはその他の各種工事を行うことによって配設するものであった。
【考案の開示】
【考案が解決しようとする課題】
【０００５】
以上の様に、高欄の設置及び照明具の設置に関しては設置工事の他に照明具の配線のための電気工事、その他必要に応じて配管工事や配線工事或いは埋設工事など極めて大幅な工事が必要となってしまうものである。
従って、高欄の設置においては別途専門的な電気工事屋その他の工事を必要とし、安全性は確保できるが極めて手数がかかると共に設置費用も高額となってしまうものである。
これに対して、照明具を有する高欄に関し、その設置の段階で極めて簡単に配線処理を可能とする高覧の提供はもとより望まれているものであり、この際に安全に設置できると共に漏電等の心配をなくすことの出来る何らかの照明具を有する高欄の提供が望まれるものである。
特に、専門的な工事である電気工事を行わずとも簡単かつ安全に設置可能な高欄の提供が望まれているものである。
【課題を解決するための手段】
【０００６】
かかる問題点を解決するために本考案は最適な高欄の提供を図るものであり、まず請求項１記載の考案は橋や道路に設置する照明を有する高欄であって、該高欄は予め定めた長さを有する高欄部材を連設することによって構成するものであり、少なくとも一の高欄部材の内部には電気配線のためのケーブル類を有すると共に他の高欄部材との連設部分において該ケーブルの端部に電気的接続可能な連結部材を有し、一の高欄部材と他の高欄部材とを連設するに際してそれぞれの高欄部材内に配設した該ケーブル類を電気的接続可能な連結部材によって結線することによって配線する高欄からなり、係る考案によって前記課題を解決できる。
【０００７】
更に請求項２記載の考案は、橋や道路に設置する照明を有する高欄であって、該高欄は予め定めた長さを有する高欄のユニットを複数連接することによって所望の長さの高欄を設置するものであり、少なくとも一の高欄のユニットの内部には電気配線のためのケーブル類を有すると共に他の高欄のユニットとの連設部分において該ケーブルの端部に電気的接続可能な連結部材を有し、一の高欄のユニットと他の高欄のユニットとを連設するに際してそれぞれの高欄ユニット内に配設した該ケーブル類を電気的接続可能な連結部材によって結線することによって配線する高欄よりなり、係る高欄を用いても同様に解決できる。
【０００８】
更に請求項３に記載の考案である高欄部材の任意箇所に照明具を有する高欄でも、請求項４に記載の考案である高欄ユニットの任意箇所に照明具を有する高欄でもよい。
これらの場合、請求項５にかかる考案のように照明具がＬＥＤか、蛍光灯か、或いは電球のうちのいずれか一以上よりなる高欄でもよい。
この場合、請求項６に係る考案のように照明具の照射方向に照射用の開口部を有し、該開後部が覆い板で覆われている高欄でもよい。
【０００９】
更に、請求項７に係る考案のように電気配線のためのケーブル類を予め横桟内に配設する高欄でも、或いは請求項８に係る考案のように横桟が笠木でも、或いは請求項９に係る考案のように横桟が手すりである高欄を用いてもよい。
更に、請求項１０に係る考案のように電気的接続可能な連結部材がコネクター又はプラグである高欄でも、更には請求項１１にかかる考案のようにこれらが防水コネクター又は防水プラグである高欄を用いてもよい。
【考案の効果】
【００１０】
以上のように構成することによって、高欄部材又は高欄のユニットを連設して高欄を設置できるが、内設した電気配線のためのケーブル類を該ケーブルの端部において電気的接続可能な連結部材によって結線して配線できることとなり、高欄に配設している照明具の配線を該連結部材の連結による配線によって簡単に配線できることとなり、電気工事や配管工事などしなくとも簡単に配線できるものとなる。
【００１１】
従って設置工事において手間等を除けるばかりでなく設置工事を低廉にかつ短時間で行うことができる。
更に、予め横桟や笠木、或いは手すり内に配置しておくことによって簡単に製造でき、更には長さ方向に連設する高欄においては最短のケーブル類の配設で足りることとなる。
又、これらは連設時においても順次連接されるものであり、該箇所において連結部材で簡単に連設できるものである。
【００１２】
更に、例えばコネクターやプラグを用いることによって誰でも簡単に電気的に連設できるものであり、設置が極めて簡単になる。
更には該コネクターやプラグを防水コネクターや防水プラグとすることで漏電の防止を簡単に図ることができることとなり、更なる安全性を簡単に得ることができる。
【考案を実施するための最良の形態】
【００１３】
図１は、本考案に係る高欄１の一例を示す図であり、二本の支柱１１の上に笠木１０を有し、更に下桟１２と小桟１３とを有する高欄である。
該高欄は一ユニットを構成するものであり、この様な高欄ユニットを順次接続することにより、必要な長さの高欄を設置できるものである。
或いは、これを高欄を構成する高欄部材として捉えるものであってもよい。
【００１４】
従って、複数乃至多数の高欄部材をその長さ方向に連設することによって最終的に所望の高欄の設置ができるものである。
次に、かかる高欄１には笠木１０の任意箇所の下面方向に照明具１５を有している。
本図に示す照明具は複数のＬＥＤを有する照明具１５からなる。
この場合、この高欄のユニット１の笠木１０の両端部は他のユニットの笠木と連設するものであることからそれぞれジョイント１６を有しているものである。
【００１５】
この場合このジョイント１６が防水可能なジョイントであることによって連設した笠木１０の内部への水分の侵入を防止できるもののであってもよい。
笠木１０部分内には予め配線を内蔵しているものである。
即ち該笠木１０の空洞内部にケーブル２を予め配設しておき、該高欄のユニットの笠木１０の両端部からケーブル２の両端部分が出ているものである。
【００１６】
ケーブル２の両端部分にはそれぞれ連接コネクター３を有しており、高欄ユニット１を連設するに際して該連接コネクター３によりケーブル２即ち例えばキャプタイヤコード等同士を連接するものである。
これによって単にコネクター３の連結をすれば笠木１０内のキャプタイヤコード２をつなげることが出来、例えば両端に位置する高欄ユニットを電源に接続することによって通電状態を得ることができる。
【００１７】
特に単にコネクター３によってケーブル類２を接続するものであって、特段電気工事などの必要はないものであるばかりでなく低廉かつ簡単に配設ができることとなる。
尚、図1に示すＬＥＤを有する照明具１５は、笠木１０内のケーブル類２に連接しているものであって必要に応じて点灯できるものである。
又、ＬＥＤを有する照明具１５は、予め設置しているものであってもよく、或いはコネクター等によって着脱可能なＬＥＤを有する照明具１５を用いるものであってもよい。
【００１８】
更にケーブル類２例えばキャプタイヤコード等の電源コードやケーブルの両端部分には電気的接続可能なコネクター類３即ち着脱自在な連結部材３を有していればよく例えばコネクターのほかプラグ類によって結線するものであってもよい。
例えば雄型プラグと雌型プラグによって結線可能なものであればよい。
図2は、笠木１０内のケーブル類２の配線状態の一例を示す図であって、特に図1に示すＬＥＤを有する照明具１５を所定の箇所に有する高欄のユニット内の一例を示す。
まず、一のキャプタイヤコード２の一端には雌型プラグ３０を有しており、他端には雄型プラグ３１を有している。
【００１９】
更にこのキャプタイヤコード２と平行して他のキャプタイヤコード２を有しており、前記一のキャプタイヤコード方向の一端には雌型プラグ３０を有しており、他端には雄型プラグ３１を有しているものである。
この場合一のキャプタイヤコード２の一端の雄型プラグ３１と、他のキャプタイヤコード２の一端の雌型プラグ３０とが並んで配置されており、この雄型プラグ３１と雌型プラグ３０にコネクター接続１５０，１５１可能なＬＥＤを有する照明具のユニット１５が着脱自在に配設できるものである。
【００２０】
この場合例えばプラグ同士の連結に際して防水可能な連結を行うことが出来れば不要な漏電などを防止できるものであり、防水プラグや防水コネクターを用いたものであってもよい。
尚、本図ではＬＥＤを有する照明具１５を示すがこれに限らず電球などからなる照明具や蛍光灯などからなる照明具を用いてももちろんよいものである。
又、本図では該照明具１５を着脱自在に配したものとして明示するが、予め照明具を結線してケーブル２の途中に照明を有する構成を有しているものであってもよい。
【００２１】
図３は、図1に示す高欄のユニットの他の例を示す図であり、同様に笠木１０内にキャプタイヤコード等２を有して配線してある高欄である。
この場合、笠木１０の一部内に下部方向に向けて照射用開口部を有する蛍光灯からなる照明具１７が配設されているものである。
この様に構成するものであっても、高欄に照明具１７を配置できると共に、笠木１０内の両端部分に電気的接続可能なコネクター類３即ち着脱自在な連結部材３例えばプラグ３０，３１などを有しているものであり、これによって他の高欄ユニットと電気的に接続できるものである。
【００２２】
ジョイント部分やプラグ部分３０,３１などの連設・連結に際して防水処理がなされることによって漏電などを防止できるものであれば安全性の向上が図れる点は前記の通りである。
図４は、図３の笠木１０内のケーブル類２の配線状態の一例を示す図であって、特に図３に示す蛍光灯を有する照明具１７を所定の箇所に有する高欄のユニット内の一例を示す。
【００２３】
本図においては蛍光灯からなる照明具１７とキャプタイヤコード２との間においては着脱自在のプラグ接続３０,３１，１７０，１７１されているものである。
従って、蛍光灯の交換を可能とする。
図５は、図１に係る高欄ユニットを複数連設した状態を示す図である。
尚、この場合高欄部材の連設としても同様である。
この様に構成することによって、任意の長さの道路や橋脚など必要な場所に設置できると共に、単にユニットをつなげればよいことから単に設置することによって配置できるものとなる。
【００２４】
従って電気工事や配管工事など他の種々の工事を不要とし、低廉かつ安全簡単に設置できるものである。
図６は、一の高欄のユニットに複数の照明具例えばＬＥＤを有する照明具１５を配設した状態の一例を示す図である。
この様に高欄には任意の照明具１５を設置することが可能であり、必要に応じて任意の照明具１５を必要箇所に必要個数設置したものを用いることが出来、これを複数乃至多数連接することによって所望の照明付き高欄を設置できる。
図７は、笠木１０内にキャプタイヤコード等２の電源ケーブル類２を配設し、笠木１０の両端部分においてコネクターやプラグ等３０,３１の電気的接続可能な連結部材３を有しているものである。
【００２５】
例えば照明が該高欄中には不要な場合であっても、電気的接続可能なキャプタイヤコード等の電源ケーブル類２を有し、該高欄の両端との間において電気的接続が可能となる。
図８は、高欄の立ち上げ部分即ち例えば最も端に位置する高欄の一例を示す図であり、一の支柱１１内から笠木１０にかけてキャプタイヤコード等の電源ケーブル類２を有しており、更にそのケーブル類２の両端部分にはコネクターやプラグ等の電気的接続可能な連結部材３を有しているものである。
【００２６】
尚、この連結部材はすでに明示の通り簡単に着脱自在のものであればよい。
例えば支柱内１１に延設しているケーブル類２は更に該ケーブルに電力を供給する電源に接続することが出来、例えば予め電源ボックスを道路や橋脚の端部分に設けておき、ここに該プラグ等の連設部材３で連接するものであってもよい。
この様にすれば、そもそも電源用の分電板などを予め設置してある位置にまでキャプタイヤコード等の電源ケーブル類２を引き回して接続すれば足りることとなる。
【００２７】
図９は、各種の位置に例えばＬＥＤを有する照明具１５を有する高欄のユニットを多数連設して道路や橋脚の歩道部或いは道路側道部分等に任意の長さの照明具を有する高欄を配置した一例を示す図である。
この様に簡単にかつ任意の長さの照明具を有する高欄を設置できるものである。
図１０は、笠木１０に代えて例えば空洞部を有する横桟１８内にキャプタイヤコード等の電源ケーブル類２を配設した他の一例を示す図である。
【００２８】
この様に構成した場合でも同様に該横桟１８を用いて配線できる共に、該横桟18の一部に設けた照明具１５によって照明を確保できるものである。
この場合も同様に両端部にはキャプタイヤコード等のケーブル類２を電気的接続可能な連結部材３例えばコネクターやプラグ等３０,３１を有しているものである。
更には例えば前記と同様に防水可能なパッキング等がなされる連結部材を用いることによって漏電などを防止できるものである。
図１１は、手すり１９内に蛍光灯１７を配設した一例を示す図である。
【００２９】
この様に構成しても同様の効果を得られる。
この他例えば照明具として電球類を用いたものであってもよく、更には笠木、横桟、手すりの他、例えば下桟１２内や小桟１３内に電源コードやケーブル類２を有すると共に任意に必要となる照明具１５,１７を有し、他の高欄のユニットとの連設部分に該電源コードやケーブル類２を電気的に接続可能な連結部材３例えばコネクターやプラグ等を有する高欄のユニットであってもよい。
【００３０】
更に、この様なユニットを連接することによって、任意の長さの高欄の提供ができ、単にユニット同士を連接すると共にプラグやコネクターによってケーブル類を電気的接続することができることとなり、連設した高欄に亘った結線によって配線ができることとなる。
従って、特段の電気工事や配管工事などを行わずとも簡単に高欄の照明配線を可能とするものである。
【００３１】
図１２は、照明具１５の一例を示す図であり、光を照射する開口部を有すると共に該開口部に光を透過する例えば透明や半透明の覆い板１５２を有する一例を 示す図である。
即ち、図１・図２などに示すＬＥＤを有する照明具１５の嵌着可能なユニットの一例を示す図である。
例えば歩道方向の斜め下方向に開口部を有し、必要方向を照射可能とする開口を有しているものである。
覆い板１５２に関しては樹脂製やガラス製などでよく、この他覆い板がないものであってももちろんよい。
【図面の簡単な説明】
【００３２】
【図１】本考案に係る高欄の一例を示す図
【図２】笠木内のケーブル類の配線状態の一例を示す図
【図３】本考案に係る高欄の他の一例を示す図
【図４】図３に示す笠木内のケーブル類の配線状態の一例を示す図
【図５】本考案に係る高欄を連設して所望の長さの高欄を設置した状態の一例を示す図
【図６】本考案に係る高欄の他の一例を示す図
【図７】本考案に係る高欄の他の一例を示す図
【図８】本考案に係る高欄の他の一例を示す図
【図９】本考案に係る高欄を連設して所望の長さの高欄を設置した状態の他の一例を示す図
【図１０】本考案に係る高欄の他の一例を示す図
【図１１】本考案に係る高欄の他の一例を示す図
【図１２】ＬＥＤを有する照明具の連接状態の一例を示す図
【符号の説明】
【００３３】
１    高欄
１０    笠木
１１    支柱
１２    下桟
１３    小桟
１５    ＬＥＤを有する照明具
１５０  照明具の雌型プラグ
１５１  照明具の雄型プラグ
１５２  覆い板
１６    ジョイント
１７    蛍光灯を有する照明具
１７０  蛍光灯照明具の雌型プラグ
１７１  蛍光灯照明具の雄型プラグ
１８    横桟
１９    手すり
２    電源コードなどのケーブル類
３    連結部材
３０  雌型プラグ
３１  雄型プラグ
【図１】
0003124041.tif 000003
【図２】
0003124041.tif 000004
【図３】
0003124041.tif 000005
【図４】
0003124041.tif 000006
【図５】
0003124041.tif 000007
【図６】
0003124041.tif 000008
【図７】
0003124041.tif 000009
【図８】
0003124041.tif 000010
【図９】
0003124041.tif 000011
【図１０】
0003124041.tif 000012
【図１１】
0003124041.tif 000013
【図１２】
0003124041.tif 000014